(57)【要約】  本発明は回転エネルギーおよび／または電気エネルギーへ永久磁石の磁気エネルギーを変換する方法およびデバイスに関し、磁気回転子の斥力および遮蔽効果により得られる回転運動が得られる。
2008524982.tif 000002
【特許請求の範囲】
【請求項１】
回転エネルギーと電気エネルギーへ永久磁石の磁気エネルギーを変換する方法であって、回転子チップと固定子の間の斥力によって、および回転子の磁気遮蔽によって特徴づけられ、磁気回転子が自動回転するように設定され、ある特定の機械的なトルクを有する回転が発生される方法。
【請求項２】
回転子の固有の回転数がグローバルスケーリングのより高い優先順位のノーダル周波数と一致し、全体のシステムの効率がそれによりさらに増加される、請求項１記載の方法。
【請求項３】
磁気回転子の動作原理に依存するプロセスによって特徴づけられる、請求項１または２記載の方法。
【請求項４】
磁気固定子の動作原理に依存するプロセスによって特徴づけられる、請求項１または２記載の方法。
【請求項５】
接続している発電機によって、回転子の回転エネルギーが電気エネルギーに変換される、請求項１から４のいずれか１項記載の方法。
【請求項６】
エネルギーの変換用デバイス、特に運動エネルギーへの磁気エネルギーの変換用デバイスであって、少なくとも１列の環状に配置された永久磁石を含む固定子（ＳＴ）を含み、回転子チップに永久磁石を備えた回転可能な回転子を含むデバイスにより特徴づけられるデバイス。
【請求項７】
回転子の固有の回転数がグローバルスケーリングのより高い優先順位のノーダル周波数と一致し、全体のシステムの効率がそれによりさらに増加される、
【請求項８】
回転子が磁気回転子である、請求項６記載のデバイス。
【請求項９】
固定子（ＳＴ）の永久磁石が隙間無く隣接して配置され、好ましくはそれらのＳ極が内側に向いている、請求項６から８のいずれか１項記載のデバイス。
【請求項１０】
固定子（ＳＴ）の永久磁石の極に面するように回転子チップ（ＲＳ）の永久磁石の極が配置され、それらが同じ極性を有している、請求項６から９のいずれか１項記載のデバイス。
【請求項１１】
永久磁石の別の極が完全に遮蔽されている、請求項１０記載のデバイス。
【請求項１２】
回転子の回転子アーム（ＲＭ）が磁化しない物質で作られる、請求項６から１１のいずれか１項記載のデバイス。
【発明の詳細な説明】
【技術分野】
【０００１】
本発明は、エネルギー変換用のプロセスおよびデバイスに関する。本発明のプロセスおよびデバイスは、磁気エネルギーの運動または電気エネルギーへの変換に好適である。
【０００２】
本発明のプロセスおよびデバイスは、技術的な装置中の永久磁石の磁気エネルギーを回転エネルギーまたは電気エネルギーへ変換するのに好適である。本発明は社会の多くの分野で適用可能である。例えば、エネルギー生産、旅行業、農業、民間部門、建設業または重工業の分野で適用可能である。
【０００３】
本発明は、技術的な装置中の回転可能なサブシステムの磁気反発の利用、および遮蔽効果に基づく。これは本明細書においては磁石回転子または磁気駆動電流発生装置（ＭＤＧ）と呼ばれる、磁気回転子デバイスの設計例（実施態様）の記述により詳細に記載され、プロセスについて記述され、次に一般化されるだろう。
【０００４】
仕事へ変換するために静磁場のエネルギーを利用する、エネルギー変換用の多くの公知の磁気装置がある。すなわち、すべての電動機の運転操作は、磁界間の力の作用に依存する［Ｈ。Ｋｕｃｈｌｉｎｇ、Ｐｈｙｓｉｋ、ＶＥＢ  Ｆａｃｈｂｕｃｈｖｅｒｌａｇ  Ｌｅｉｐｚｉｇ、ｐ。３９５、ｆｆ］。
【０００５】
そのような場合、いわゆるアーマチュアコイルに適用された電位差は電機子電流を生産する。また、これは次には磁界を生産する。それは界磁石（永久磁石）に重ねられる。これは力を及ぼすことに帰着し、回転子を回転させる。ここで生産されたトルクは、コイルの巻数、電機子電流、磁気誘導、各巻線の領域、コイルの角速度および、磁界の方向に垂直なスタート位置を通過して以来の経過時間に依存する。
【０００６】
しかしながら、現在では永久磁石のエネルギーのみを単独で利用することができるプロセスおよびデバイス、または、それらの静止磁気エネルギーを回転エネルギーまたは電気的なエネルギーに変換することができるプロセスおよびデバイスは公知ではない。
【０００７】
本発明は永久磁石の磁気エネルギーの回転または電気的なエネルギーへのエネルギー変換に使用することのできるプロセスおよびデバイスを提供することにより始まる。これは、たとえば適当な場所で電気を生成するための完全なシステムを使用するためである。
【０００８】
この課題は、請求項１に記載されたプロセス、および請求項５に記載されたエネルギー変換用のデバイスによって解決される。ここで永久磁石、磁気回転子および固定子の適当な配置によって、および回転子と固定子の間の磁気反発および磁気遮蔽の適切な使用によって、運動エネルギーが生産される。その結果電気エネルギーへの磁気エネルギーのエネルギー変換、たとえば発電を効率的に実行することができる。
【０００９】
設計の有利な形状はさらなる請求項に記載される。
回転子と固定子の間の動的な力、従って回転は、磁気作用の基本的な法則の適用、すなわち同じ磁極は反発し、異なる磁極は互いに引き合うという法則の適用に起因する［Ｇｒｉｍｓｅｈｌ：Ｌｅｈｒｂｕｃｈ  ｄｅｒ  Ｐｈｙｓｉｋ，Ｖｏｌ．ＩＩ，ｐ．８１  ｆｆ．，Ｔｅｕｂｎｅｒ  Ｖｅｒｌａｇｓｇｅｓｅｌｌｓｃｈａｆｔ  Ｌｅｉｐｚｉｇ，１９５５］。公知のモータの作動方法とは対照的に、動的な磁力が、電磁石と永久磁石の適切な作用に起因して得られ、いわゆる磁石回転子の場合には、永久磁石だけが使用される。
【００１０】
しかしながら、本発明によれば、回転子と固定子の間の斥力および引力のスーパーインポーズによる干渉を防ぐために追加の磁気遮蔽が回転子について使用される。これは回転を起こすために回転子に作用する、動的な力の全体を完全に利用することができるようにするためである。
【００１１】
今まで、電流の生成のために永久磁石に蓄えられたエネルギーを直接使用することは可能ではなかった。この主な理由は、純粋な磁気単極を製造することが可能ではなかったということである。適当な構造上の手段（多くの永久磁石の特別の配置、およびミュー−メタルによる異なる磁極のシールド）によって、本発明によって、２つの擬似的な磁気単極が生産される。
【００１２】
本発明の１つの設計例では、回転子の回転、その角度または回転数ｗは、回転システムの物理学からの他の最適化戦略を同様に使用することも可能であるが、グローバルスケーリング（ＧＳ）理論の適用によりさらに最適化される。
グローバルスケーリング（ＧＳ）は最適化にふさわしい。なぜなら、ＧＳを適用することにより計算することができるシステムの適切な回転数の選択によって、デバイスおよびプロセスの効率がさらに向上され、他の最適化手順と協力してそれらが使用される時、効率がさらに向上される。
【００１３】
グローバルスケーリング（ＧＳ）理論が以下に紹介される。
ＧＳは新たに導入された物理的な概念であり、現実のシステムの質量、温度、重量および周波数のような物理的変数の度数分布が対数スケールで不変系であることを示す。Ｈ．Ｍｕｌｌｅｒ，Ｇｌｏｂａｌ  Ｓｃａｌｉｎｇ，Ｓｐｅｃｉａｌ  １，Ｅｈｌｅｒｓ  Ｖｅｒｌａｇ、２００１参照。Ｅｈｌｅｒｓ  Ｖｅｒｌａｇ中のＨａｒｔｍｕｔ  Ｍｕｌｌｅｒのグローバルスケーリングに関する記述は本明細書に包含され、特にＧＳにより本発明が最適化される場合に参照されて含まれる。
ＧＳの助けにより、実際のプロセス中に好ましく含まれているそのような物理量が計算されることができる。
【００１４】
これらの好ましい値は、レオナルド  オイラーによる連分数分解によって確認されることができる［Ｌｅｏｎａｒｄ  Ｅｕｌｅｒ，Ｕｂｅｒ  Ｋｅｔｔｅｎｂｒｕｃｈｅ  １７３７］、［Ｌｅｏｎａｒｄ  Ｅｕｌｅｒ，Ｕｂｅｒ  Ｓｃｈｗｉｎｇｕｎｇｅｎ  ｅｉｎｅｒ  Ｓｅｉｔｅ，１７４８］。なぜなら、オイラーにより、すべての実数ｘが式（１）に対応するその連分数によって表わされることができることが、知られているからである。
式（１）  
ｘ＝ｎ０＋ｚ／（ｎ１＋ｚ／（ｎ２＋ｚ／（ｎ３＋ｚ／（ｎ４＋ｚ／（ｎ５＋．．．）））））  
変数ｚはこの場合部分分子を表し、その値は、後の周波数解析のＧＳにより、値２に固定される。
【００１５】
スケール不変性が対数スケールで生じるので、ＧＳ法では、解析はすべて底ｅの対数がとられた変数について行なわれる。式（２）は以下の通りとなる。
式（２）
ｌｎ  ｘ＝ｎ０＋２／（ｎ１＋２／（ｎ２＋２／（ｎ３＋２／（ｎ４＋２／（ｎ５＋．．．）））））
【００１６】
具体的な数値は基礎として使用される基礎的な単位に依存する。ＧＳでは、分析される変数は、物理定数ｙ、いわゆる基準質量に関して設定される。しかしながら、これらの定数について上限および下限が存在するので、これらの定数はある程度の精度でしかわからない。
【００１７】
式（３）は、ＧＳの中で最も重要な基本的な式として得られる。それはφ＝３／２による位相シフトにより展開することができる。本発明の説明には関係がないが、これはしばしば有益である［Ｈ．Ｍｕｌｌｅｒ，Ｇｌｏｂａｌ  Ｓｃａｌｉｎｇ，Ｓｐｅｃｉａｌ  １，Ｅｈｌｅｒｓ  Ｖｅｒｌａｇ、２００１］。
式（３）
ｌｎ  （ｘ／ｙ）＝  ｎ０＋２／（ｎ１＋２／（ｎ２＋２／（ｎ３＋２／（ｎ４＋２／（ｎ５＋．．．）））））
【００１８】
整数の部分分母［ｎ０、ｎ１、ｎ２、．．．］の合計は、連分数の収束条件のために、常に分子より大きくなければならない。Ｏ．Ｐｅｒｒｏｎ，Ｄｉｅ  Ｌｅｈｒｅ  ｖｏｎ  ｄｅｎ  Ｋｅｔｔｅｎｂｒｕｃｈｅｎ，Ｔｅｕｂｎｅｒ  Ｖｅｒｌａｇ，Ｌｅｉｐｚｉｇ，１９５０参照。また常に３で割り切れる整数である。
【００１９】
式（３）の適用を通じて、周波数のような定義済みの物理的変数、たとえばシステムの振動の固有振動数はＧＳ連分数方法によって分解され、連分数コードに変換されることができる。これは、周波数ｆ０についてのＧＳ連分数分解により、例示の目的のために記載される。
【００２０】
ＧＳでは、値１．４２５４８６９ｅ２４Ｈｚが周波数の計算のために物理定数ｙとして使用される。Ｈ．Ｍｕｌｌｅｒ，Ｇｌｏｂａｌ  Ｓｃａｌｉｎｇ，Ｓｐｅｃｉａｌ  １，Ｅｈｌｅｒｓ  Ｖｅｒｌａｇ、２００１の標準測定の部分を参照。
【００２１】
式（３）によれば、連分数分解および部分分母ｎ０、ｎ１、ｎ２、ｎ３、ｎ４、などの計算が得られる。式（３）による連分数による周波数数値の計算は、Ｒａｕｍ−Ｅｎｅｒｇｉｅ−Ｆｏｒｓｃｈｕｎｇ  ＧｍｂＨ（Ｗｏｌｆｒａｔｓｈａｕｓｅｎ）のツールＧＳＣ３０００プロフェッショナルを使用して、例示の目的のために行なわれ、周波数ｆ０＝３０２／分について行われた。回転数３０２／分はＧＳ連分数コード［−５４；−３０５５２］に相当する。周波数に使用された定数ｙの制限に依存して、部分分母ｎ０＝−５４、部分分母ｎ１＝−３０５５２あるいはｎ１＝−２９４６８である。図１を参照。
【００２２】
この例においては、部分分母（ｎ１＝−３０５２２）は大きく、したがって、ｎ１を越えるすべての商は無視できる程度に小さいので、周波数３０２／分は値ｎ０（ｎ０＝−５４）に近接し、高次またはより高い優先順位のＧＳノーダル周波数とも呼ばれる。さらに、高次またはより高い優先順位のＧＳノーダルポイント周波数は、式（３）によれば、例えば１５／分または０．７５／分である。ＧＳ周波数分析のこれらの基礎に基づいて、本発明は以下にさらに説明される。
【００２３】
本発明の１つの目標は、適当な周波数（回転子の角周波数）の影響の利用により、さらに技術的な装置の効率を高めるプロセスを示すことである。その結果、装置は、エネルギー変換または仕事を行なうことについて効率的な方法で使用することができる。
【００２４】
少なくともシステムの成分の律動と一致する、Ａｌｔｓｃｈｕｌｌｅｒのいわゆる３番目の法則［Ａｌｔｓｃｈｕｌｌｅｒ，Ｇｅｎｒｉｃｈ  Ｓａｕｌｏｗｉｔｓｃｈ：Ｅｒｆｉｎｄｅｎ−Ｗｅｇｅ  ｚｕｒ  Ｌｏｓｕｎｇ  ｔｅｃｈｎｉｓｃｈｅｒ  Ｐｒｏｂｌｅｍｅ，ＩＳＢＮ  ３−００−００２７００−９，１９８４］以来、技術システムの開発の最も重要な法則のうちの１つは、システムの律動およびシステムの部分またはそれらの調整を絶えず改善することにあることは公知である。したがって、本発明は、目的とする共振固有振動数の生成に関して、振動または回転システムの改善された律動性のこのアプローチをさらに利用する。それはＧＳの適用により最適の方法で分析的に計算される。
【００２５】
確かに、本明細書に記載される共振最適化の方法の使用により改善されることができる多くの回転する機械装置がある。課題の解決は、ダイヤグラムの援助による磁石回転子の具体的な設計例を使用して記載さる。
【００２６】
回転および／または電気エネルギーへの磁気エネルギーのエネルギー変換は、永久磁石から作られた磁気固定子、やはり永久磁石から作られた磁気回転子、およびいわゆるミューマテリアルによる適当なシールドにより作られる一般に公知のデバイスによる設計例において解決されるだろう。図２を参照。
【００２７】
これらの特別の物質であるいわゆるミューマテリアル、たとえばソフトアイアンの磁気遮蔽効果は、Ｇｒｉｍｓｅｈｌ：  Ｌｅｈｒｂｕｃｈ  ｄｅｒ  Ｐｈｙｓｉｋ，  Ｖｏｌ．  ＩＩ，  ｐ．  ８５  ｆｆ．，  Ｔｅｕｂｎｅｒ  Ｖｅｒｌａｇｓｇｅｓｅｌｌｓｃｈａｆｔ  Ｌｅｉｐｚｉｇ，  １９５５により公知であり、物質の高い透磁率に関係する。固定子の磁界内へソフトアイアンの中空の球体または中空円筒を導入する場合、磁力線は外部から鉄へ進む。しかし、その後、それらは、ほとんど完全に中空のボデイの壁の内を走る。その結果、中空のボールまたは中空円筒の内部空間には、磁力線がほとんどなく、磁力がない。
【００２８】
本発明によれば、本明細書において磁気駆動電流発生装置（ＭＤＧ）と呼ばれる磁石回転子の完全なシステムは、以下のように構成される：
ＭＤＧは、磁性固定子環（ＳＴ）および磁性回転子（Ｒ）からなり、磁性回転子の回転軸（ＲＡ）は固定子環の中心に位置する。図２を参照。
【００２９】
固定子（ＳＴ）は、少なくとも１つ、好ましくは２またはそれ以上の、隙間為しに隣接して環内に配置された永久磁石の列により構成される。この時、それらの同じ極は、中心のまわりで対称的に並べられる。固定子の永久磁石は、それらの各々が同じ磁極を有するように並べられる。たとえば、それらのＳ極は内側に向いて、Ｎ極は外側に向く。このように、空間的に制限された磁気単極が、固定子内に生成される。２０×７×３ｍｍのサイズのＮｄＦｅＢ永久磁石を使用して、可能な限り隙間無く並べた時に、固定子の内径は例えば４００ｍｍであることができる。または、環状体に賦形された磁石を使用することも可能である。
【００３０】
最も単純な場合、回転子（Ｒ）は、回転子チップ（ＲＳ）での永久磁石であり、その１つの極はミューメタル（ニッケル−鉄アロイ）、図２中の（Ｍｕ）、によって完全にカバーされる。回転子アーム（ＲＭ）は磁化不能である。ミューメタルのシートは、低周波範囲において、１００ｄＢ以内（９９．９９％）の遮蔽値を有する。回転子は中心軸（ＲＡ）の周囲を回転可能であり、回転子のチップ（ＲＳ）は、固定子および回転子の磁界のグラディエントが、０＜φ＜π／４の角度を形成するように作られる。
【００３１】
これは、設計例において（Ｓ）極である回転子チップ（ＲＳ）と、設計例においてやはり（Ｓ）極である固定子（ＳＴ）との間の反発力を引き起こし、それにより磁化しない回転子の軸（ＲＡ）にトルクを生ずる。このトルクの大きさは、とりわけ、固定子の磁気単極の強度（残留磁気）、回転子の永久磁石の強度、角度φ、および回転子チップと固定子の間の距離に依存する。
【００３２】
強いＮｄＦｅＢ永久磁石は、１．５テスラ（１５キロガウス）の残留磁気値を達成する。したがって、小さな（１０×１０ｘ４ｍｍ）ＮｄＦｅＢ磁石でさえ、１立方メーター当たり３００キロジュールの範囲のエネルギー積（磁束密度Ｂｘ磁界強度Ｈ）を蓄積することができる。
【００３３】
ＭＤＧを設計する際に、回転子の持続する回転を保証するために、次の一般的なガイドラインを厳守しなければならない。
＊  できるだけ隙間を作らずに、多くの永久磁石（固定子）を環状に配置して無限の長さの、空間的に制限された磁気単極を製造すること。
＊  最小の領域内への多くの永久磁石の適当な構成により擬似的な単極を製造し、ミューメタル（回転子）により異なる磁極をシールドすること。
＊  単極のグラジエントに対して０＜φ＜π／４の角度で、回転子の周縁に擬似的な単極を配置すること。
【００３４】
トルクは、狭い角度で並べられた両方の擬似的な単極（回転子チップおよび固定子）の磁界のグラジエントによって発生され、新しい転向力Ｆが回転の方向に絶えず作り出される（図２）。
回転子のチップの形状を選ぶことによって、回転の方向（左へ、右へ）を選択することができる。
したがって、システムの励振および回転は、永久磁石の磁力の適当な利用に起因する。
システムは全体として、外見上、いわゆる磁気単極のような効果を有する。なぜなら、例えば、固定子の磁石は全てＳ極が内側へ向き、Ｎ極がすべて外側へ向くように並べられるように構成されるからである。
【００３５】
本発明のプロセス、デバイス、および構成要素またはモジュールには、改良、またはさらに発展させるための多くの可能な方法がある。これに関しては、独立項に従属する請求項が参照される。
【００３６】
本発明のプロセスおよび／またはデバイスの効率は、ＧＳによる計算に基づいた特定の角周波数およびジオメトリーの使用により高めることができる。
回転システムの設計例における、技術システムの効率を改善するための基本的な考えは、いわゆるＧＳ周波数を適用した共鳴効果の利用に依存する。
【００３７】
システムの安定性および耐久性を増加させるために、共振は通常技術システムで回避されるが、ここではその固有の共鳴周波数ｆＲＥＳに回転がなる、回転システムにおけるある特定の動作点を探す。これらの共鳴効果は、永久磁石に存在する磁気エネルギーに基づいて、さらにより大きなトルクでの回転を維持することを許容する。その結果、回転エネルギーへの磁気エネルギーのエネルギー変換の全体としての効率が増加される。
【００３８】
これは、共鳴効果を利用して、特にグローバルスケーリングによるいわゆるノーダル周波数とその固有周波数が一致する回転システムの構造が、回転システムの効率のさらなる増加に結びつくことを意味する。
【００３９】
ＧＳ理論によれば、いわゆるｎ０、ｎ１、ｎ２周波数と呼ばれる特別の周波数が存在する。それらは特に強くこの結果を引き起こす。そのため次の方法で、プロセスおよびデバイスを実行することは望ましい。
＊  式（３）を適用し、技術システムで原理的に利用可能なｎ０、ｎ１、ｎ２−周波数（例えば３０２／分）を導く。
＊  これらの周波数からジオメトリーを決定する。つまり固定子の内径、固定子中の個々の磁石の間の距離、磁気回転子のサイズおよび重量を、ｆｒｅｓ＝ｎ０で回転子が回転するように設定する。
【００４０】
本発明によれば、磁性回転子の構造は、したがって、回転子チップの回転速度およびさらに回転子の角周波数の両方が、より高い優先度のｎ０、ｎ１、ｎ２周波数に相当するように好ましくは設計される。
【００４１】
本発明では、磁石回転子は次の方法で操作される：
１．  回転子ロッキング機構の解放により回転子をスタートさせる。
２．  磁力Ｆ（図２）の作用により、回転子はそれ自身で回転し始める。つまり、自動的に回転する。
３．  回転子と固定子の適当なジオメトリーおよび重量によって、磁石回転子の毎秒当たりの所望の回転数ｆＲｏｔｏｒが、ＧＳによるｎ０、ｎ１、ｎ２周波数に相当する共振振動数に非常に近い周波数に調節される。
４．  毎秒当たりの回転数の電機的なモニタリングにより回転子を独立して運転し、さらに固定子中の電磁気的な遮蔽およびスイッチングの変更のような適当な手段により、回転子の電磁気的なブレーキングを可能とする。
５．  例えば標準的な発電機の使用による回転子スピンドルの回転エネルギーの電気エネルギーへのデカップリングをするか、または適当な機械的装置のために回転エネルギーを直接使用する。
６．  電磁ブレーキまたは機械的なロッキング機構のような適当な手段によって回転子を止める。
【００４２】
本発明では、磁石回転子はミュー物質による反発力および磁界のシールドの発現に依存するので、他の多くの設計例が可能である。その中で回転子の回転（例えばそのトルクまたは同期運転）は改善されることができる。
例えば、内側の回転子は固定され、外側の固定子が回転するようにセットされることができる。また回転子をいくつかのアームから構成することができる。３つのアームの場合には、例えば１２０度ずつで相シフトさせることができる。
【００４３】
更に、様々な長さ（半径）のいくつかの回転子を一つの固定子環の内部に配置し、または異なる回転方向に回転することができる場合がある。
さらなる可能性は、固定子内の永久磁石の２つ以上の等しいサイズの環の使用であり、１つが他の上に配置される場合である。
【００４４】
磁気回転子ＭＤＧの回転子軸ＲＡの周囲を回転する回転子アームＲＭと一緒の、シャフトの回転エネルギーは、接続される発電機Ｇによって電気エネルギーに変えることができる。図３を参照。
これによって、本発明は磁気エネルギーの技術システムの運動エネルギー（回転エネルギー）への変換、さらには電気エネルギーへの変換という課題を解決する。
【００４５】
効率の向上された発電
共鳴効果の利用に基づいたＧＳ周波数の適用により、磁気回転子の効率を高める考えは、さらなるプロセスおよびデバイスのために一般化することができる。
確かに、この概念に基づく事実は、従来の技術に比較して明確に効率を向上することを全てのシステムにおいて可能とする。それは例えば液圧プレスのような水力の装置、機械式駆動装置のような機械装置、渦電流発電所のようなガスまたは空気で駆動される装置、および圧電結晶のような振動する電気−機械変換器のようなエネルギーの移転または変換を確実に行う。
【００４６】
多くの技術的なデバイスでは、共鳴効果は回避されることになっているが、デバイスの損傷または破壊を避けるために、本発明においてはデバイスの振動するサブシステムまたは回転するサブシステムの固有な共鳴が意識的に選択され、エネルギーの移転または変換の効率を高めるために使用され、さらにシステムでの摩擦の結果によるもののような内部損失を最小限にするために使用される。
【００４７】
サブシステムの固有な共鳴が、グローバルスケーリングによるより高い優先順位のノーダルポイントの周波数、それは分析的に方程式（３）を使用して計算することができる、に相当するように調整される場合、さらなる利点が得られる。なぜなら総計としての共鳴効果が強くなるからである。
これについては、サブシステムがそれらの固有な共鳴にある場合、荷重支持成分（例えばハウジング、他の保護部分）がシステムの安定性および耐久性を保証するためにはそれらの正確な共振振動数で振動しないように、デバイスの構造を選ばなければならない。
【００４８】
永久磁石中に格納された磁気エネルギーは磁気回転子の何年もの操作に十分である。強いＮｄＦｅＢ永久磁石が１メーター当たり２５００キロアンペアの保磁力を達成するので、例えば発電機のような他のデバイス中の永久磁石は非常に長い有効寿命を有することを見出したからである。
【００４９】
磁気エネルギーが永久磁石には始めから天然の物理的なプロセスにより格納されているので、技術的な磁石の調製および製造についての仕事だけが消費されなければならない。磁気回転機械ＭＤＧの製造のために消費された全エネルギーと、回転子からの供給された電力量間の経済的なエネルギー・バランス（エネルギー差）は回転子が一定の期間の間運転した後はプラスである。したがって、プロセスとデバイスは、天然の（磁気）リソースの環境にやさしい使用に寄与する。
【図面の簡単な説明】
【００５０】
【図１】図１は周波数のＧＳ解析用のツールＧＳＣ  ３０００を示す。
【図２】図２は磁石回転子ＭＤＧの構造を示す。
【図３】図３は発電機Ｇによって電気を起こすための磁石回転子ＭＤＧを示す。
【図１】
2008524982.tif 000003
【図２】
2008524982.tif 000004
【図３】
2008524982.tif 000005
【国際調査報告】
2008524982.tif 000006
2008524982.tif 000007
2008524982.tif 000008
2008524982.tif 000009
2008524982.tif 000010
2008524982.tif 000011
2008524982.tif 000012
2008524982.tif 000013
2008524982.tif 000014
2008524982.tif 000015